(57)【要約】【課題】軒樋の下流側端部を樋集水器の挿入部に挿入することによって接続されている軒樋が、環境の温度変化によって収縮したときに、この軒樋挿入部から抜けて外れるという問題が生じない樋集水器及び樋集水器を取り付けた構造物を提供することである。【解決手段】本発明は、軒樋の端部を挟持する断面コ字形の挟持片とこの挟持片から下方に延びた垂下部とからなるストッパーと、合致する遮蔽突起を樋集水器の側壁に設け、その遮蔽突起の突起部角度を特定した。【選択図】図１
2005248442.tif 000002
【特許請求の範囲】
【請求項１】
樋集水器の側壁（５）に、ストッパー（３）と合致する遮蔽突起（１１）の突起部角度（１２）が４５°〜９０°である遮蔽突起（１１）を設けてなる樋集水器。
【請求項２】
端部にストッパー（３）が装着された軒樋（２）が、集水器本体（１）と遮蔽突起（１１）とからなる樋集水器に取り付けられた構造物であって、集水器本体（１）の側壁（５）に軒樋挿入部（７）が設けられ、軒樋挿入部（７）に軒樋（２）が集水器本体（１）内に突出して挿入され、ストッパー（３）は、軒樋（２）の端部を挟持する断面コ字形の挟持片（９）と、この挟持片（９）から下方に延びた垂下部（１０）とからなり、このストッパー（３）の挟持片（９）の中に軒樋挿入部（７）から挿入された軒樋（２）の端部が挿入され取り付けられ、遮蔽突起（１１）は、集水器本体（１）の側壁（５）から立設され、その遮蔽突起（１１）がストッパー（３）の垂下部（１０）と合致する請求項１記載の樋集水器を取り付けた構造物。
【発明の詳細な説明】
【技術分野】
【０００１】
本発明は、雨樋の樋集水器及び樋集水器を取り付けた構造物に関する。
【背景技術】
【０００２】
従来より、軒樋と樋集水器とは、軒樋の下流側端部を樋集水器の挿入部に挿入することによって接続されている。この軒樋が樋集水器の挿入部から抜けるのを防止するために、軒樋の下流側端部に切り込みを入れて多数の切り込み片を形成し、この切り込み片を下方に折曲させたり、樋集水器の差込部の軒樋の下流側端部を挿入した後、軒樋の下流側端部にストッパーを接着剤で取り付けられる方法が行われている。しかしながら、集水器本体の側壁に設けられた軒樋挿入部の長さが短い場合この軒樋挿入部に挿入された軒樋が環境の温度変化によって収縮したとき、この軒樋挿入部から抜けて外れるという問題が生じることがある。
【０００３】
この軒樋の外れを解消する樋集水器として、樋集水器と止水板とからなり、止水板は、集水器本体の側壁もしくは底部から立設され、先端がストッパーの挟持片と折曲片との間に向けられている樋集水器（特許文献１を参照。）が提案されている。
【特許文献１】特開平８−２４６６１５号公報
【発明の開示】
【発明が解決しようとする課題】
【０００４】
しかしながら、この従来の方法では、樋集水器本体の側壁と止水板との間に溝ができ、その溝に雨水が溜まり、さらには雨水が樋集水器の外に流出する場合があった。
【０００５】
本発明は従来の欠点を解決し、軒樋の下流側端部を樋集水器の挿入部に挿入することによって接続されている軒樋が、環境の温度変化によって収縮したときに、この軒樋挿入部から抜けて外れるという問題が生じない樋集水器及び樋集水器を取り付けた構造物を提供することである。
【課題を解決するための手段】
【０００６】
即ち、本発明は、樋集水器の側壁に、ストッパーと合致するよう遮蔽突起の突起部角度が４５°〜９０°である遮蔽突起を設けてなる樋集水器である。
【０００７】
更に、本発明は、端部にストッパーが装着された軒樋が、集水器本体と遮蔽突起とからなる樋集水器に取り付けられた構造物であって、集水器本体の側壁に軒樋挿入部が設けられ、軒樋挿入部に軒樋が集水器本体内に突出して挿入され、ストッパーは、軒樋の端部を挟持する断面コ字形の挟持片と、この挟持片から下方に延びた垂下部とからなり、このストッパーの挟持片の中に軒樋挿入部から挿入された軒樋の端部が挿入され取り付けられ、遮蔽突起は、集水器本体の側壁から立設され、その遮蔽突起がストッパーの垂下部と合致する樋集水器を取り付けた構造物である。
【発明の効果】
【０００８】
本発明の樋集水器は、軒樋が環境の温度変化によって収縮したとき、樋集水器の軒樋挿入部から軒樋が抜けて外れない樋集水器及び樋集水器を取り付けた構造物を提供することができる。
【発明を実施するための最良の形態】
【０００９】
本発明は、前記のように環境の温度変化によって軒樋が収縮したとき、集水器本体の側壁から立設された遮蔽突起がストッパーの垂下部と合致することにより、樋集水器の軒樋挿入部から軒樋が抜けて外れないことを見出した。
【００１０】
本発明における樋集水器の材質は、プラスチック建材として従来公知の樹脂を適宜選択して採用でき、例えば、硬質塩化ビニル樹脂、アクリル樹脂、ポリカーボネート樹脂、ＡＥＳ樹脂（アクリロニトリル・エチレン−プロピレンゴム・スチレン樹脂）等やこれらの混合物を含むものを使用できる。また、軒樋及びストッパーの材質は、樋集水器と同一であっても、異なるものであってもよい。
【００１１】
本発明の詳細を説明するにあたって、軒樋と樋集水器について主要な構成及び、これらの接続について説明する。図１〜図３において、１は集水器本体、２は軒樋、３はストッパーである。集水器本体１は、底部４と、この底部４の端縁から立設された側壁５と底部４とに接続される横側壁６とよりなる箱型の形状となっている。
【００１２】
集水器本体１の側壁５に軒樋挿入部７が設けられていて、底部４に竪樋接続部８が設けられている。軒樋挿入部７に軒樋２が挿入され、軒樋２の端部は、集水器本体１の内側に突出させられている。
【００１３】
ストッパー３は、軒樋２の端部を挟持する断面コ字形の挟持片９と、この挟持片９から下方に延びた垂下部１０とからなっている。このストッパー３の挟持片９の中に、軒樋挿入部７から挿入された軒樋２の端部が挿入されて取り付けられている。
【００１４】
遮蔽突起１１は、集水器本体１の側壁５に、遮蔽突起１１の方向が軒樋２の端部側になるように立設されている。この遮蔽突起１１を側壁５に立設したのは、底部４から突起を出すと、軒樋２の収縮により、遮蔽突起１１に当たったときに遮蔽突起１１を変形させる可能性があり、更には、竪樋への排水に障害をきたすためである。側壁５から直接突出させたのは、側壁５と遮蔽突起１１の間に溝を設けないためである。これにより、遮蔽突起１１の近傍に雨水が溜まらない。
【００１５】
また遮蔽突起１１は、集水器本体１の側壁５に、その側壁５の片側毎に、好ましくは２〜５箇所、さらに好ましくは２〜３箇所立設されている。２箇所未満では、ストッパー３の取り付け位置に遮蔽突起１１の立設された位置が対応できなくなる恐れがある。一方で、５箇所を超えると集水器本体１の金型構造が複雑になり、側壁５の部分に外観上に悪さを与えるヒケが発生する恐れがある。
【００１６】
遮蔽突起１１の頂部は軒樋挿入部７と同一面上であることが望ましい。突起部角度１２は、前記頂部を基準として４５°〜９０°の範囲である。突起部角度１２が４５°より小さいと、あまりにも鋭角になりすぎて遮蔽突起１１の先端に外観上に悪さを与えるヒケが発生する恐れがある。一方で、突起部角度１２が９０°より大きいと、軒樋２が環境の温度変化によって収縮したときに軒樋２に働く力の一部が、ストッパー３を上方向に押し上げる力になり、係止効果が小さくなり軒樋挿入部７から軒樋２が抜けて外れやすくなる。
【００１７】
この樋集水器を取り付けた構造物の施工手順を説明する。軒樋２の端部にストッパー３を雨樋用接着剤にて固定する。次に、集水器本体１の軒樋挿入部７に軒樋２を取り付ける。集水器本体１のもう一方の軒樋挿入部７に別の軒樋２の端部を挿入し、前記と同様にしてこの軒樋２の端部にストッパー３を接着固定して取り付ける。このようにして樋集水器が取り付けられた軒樋２は、いずれも屋根の先端部直下に固定されていて、最後に集水器本体１の底部４に設けられた竪樋接続部８に竪樋を挿入し施工された樋集水器は、軒樋２に落下した屋根の雨水を集水器本体１に集め、竪樋を経て排出するために使用される。      
【００１８】
また、ストッパー３には、軒樋２の端部を挟持する断面コ字形の挟持片９と、この挟持片９から下方に延びた垂下部１０とからなっているので、この垂下部１０によって雨水が水切りされ、軒樋２から流れてきた雨水はこの垂下部１０を伝わって集水器本体１の底部４に落下し、軒樋２の端部裏面を伝わって軒樋挿入部７から漏水することを防止している。
【００１９】
そして、軒樋２が環境の温度変化によって収縮して、軒樋２の端部が軒樋挿入部７の方向に移動すると、この軒樋２の端部が挿入されたストッパー３も軒樋２と一緒に移動する。すると、ストッパー３の垂下部１０が集水器本体１の側壁５から立設された遮蔽突起１１に当たり、軒樋２の移動が阻止されるので、軒樋２が樋集水器の軒樋挿入部７から抜け外れない。
【実施例】
【００２０】
以下、本発明に係る樋集水器の実施例について、図１〜図３及び表１を参照にしながら詳細に説明する。
【００２１】
【表１】
2005248442.tif 000003
【００２２】
表１において、「軒樋の抜け外れ」とは、軒樋（長さ３．６ｍ）の端部にストッパー３を接着剤にて固定し、集水器本体１の軒樋挿入部７に軒樋２を取り付ける。さらに、集水器本体１のもう一方の軒樋挿入部７に別の軒樋２の端部を挿入し、前記と同様にしてこの軒樋２の端部にストッパー３を接着固定して取り付けたこれらのものを試験体とする。この試験体を評価試験室に、軒樋２の収縮を阻害しないよう軒樋〜樋集水器〜軒樋が直線上になるよう備え付ける。軒樋２の収縮を促進させるため、評価試験室の室温を２０℃→５０℃→−１０℃→２０℃と室温を変化させ、各温度に２４時間ずつ試験体を放置して、樋集水器から軒樋の抜け外れの度合いを目視で評価した。抜け外れがないものを良好（○）とし、抜け外れのあるものを不適（×）とした。抜け外れの基準は、ストッパー３が付いた軒樋２の端部が、軒樋挿入部７の端で浮いた状態を、抜け外れのあるものとした。これは、実際の建物の軒樋は長尺に取り付けられているため、前記の軒樋挿入部７の端で浮いた状態になると、樋集水器から軒樋が抜け外れる恐れがあるためである。
【００２３】
（実施例１）本実施例の樋集水器及びストッパーは、硬質塩化ビニル樹脂製で射出成型機を用いて賦形した。これに対応する軒樋は、底幅が９０ｍｍである角形軒樋（電気化学工業株式会社製  ＣＲ１０５）を使った。遮蔽突起１１の突起部角度１２は８０°である。また、遮蔽突起１１の個数は、集水器本体１の側壁５の両側に、３０mmの間隔で２箇所ずつ配設した。ストッパー３は、軒樋との接着代が４５mmのストッパー（電気化学工業株式会社製  軒樋ストッパー）を、軒樋端部に１個ずつ使った。
【００２４】
（実施例２及び比較例１，２）比較例２は、遮蔽突起１１がないもの。実施例２及び比較例１は、突起部角度１２を表１に示した値とした以外は、実施例１と同様にして樋集水器を得た。
【００２５】
各実施例及び比較例の評価結果を、表１に纏めて示した。表１から、ストッパー３と合致する遮蔽突起１１の突起部角度１２が４５°〜９０°の範囲で形成されていることが好ましい。本実施例の樋集水器を取り付けた構造物は、軒樋２の抜け防止機能がある。
【図面の簡単な説明】
【００２６】
【図１】実施例１における樋集水器を示す斜視図である。
【図２】実施例１における樋集水器を取り付けた構造物を示す斜視図と平面図である。
【図３】実施例１における遮蔽突起とストッパーの合致状態を示す断面図である。
【図４】比較例２における遮蔽突起がない場合の取り付いた状態を示す断面図である。
【符号の説明】
【００２７】
１    集水器本体
２    軒樋
３    ストッパー
４    底部
５    側壁
６    横側壁
７    軒樋挿入部
８    竪樋接続部
９    挟持片
１０    垂下部
１１    遮蔽突起
１２    突起部角度
【図１】
2005248442.tif 000004
【図２】
2005248442.tif 000005
【図３】
2005248442.tif 000006
【図４】
2005248442.tif 000007